(57)【特許請求の範囲】
【請求項１】
スマートカード（１００）を受け入れ、スマートカード（１００）をロック位置にロックするようにされたスマートカードリーダ（１０）であって、
長手方向に延び、互いに反対側に配置される側面を有するハウジング（１１）と、
前記ハウジング（１１）内の前記スマートカード（１００）の読取位置に移動されると共に下降される接点部材を有し、該接点部材が前記読取位置において、該スマートカード（１００）のカード側接点に接触するようにされた接触装置（３０）と、
前記スマートカード（１００）のロック及び開放を行う機械的ロック手段（５０）とを備え、
前記機械的ロック手段（５０）は、前部（５３）及び後部（５４）を有するロックスライド（５２）とロックレバー機構（５１）とを備え、
前記ロックスライド（５２）は、前記カード及び前記ハウジングの周囲の外側で前記側面の１つに沿って長手方向に延び、前記ロックスライド（５２）の前部（５３）は下降するように構成され、
前記ロックレバー機構（５１）は、前記ロックスライド（５２）をロックされる読取位置にロックすると共に、前記カードの挿入方向から見て前記接触装置（３０）の前方且つ前記スマートカード（１００）の上方に配置されており、
前記ロックレバー機構（５１）は、ロックノーズ（７０）を有するロックレバー（６６）をさらに備え、前記ロックレバー（６６）は、前記ロックノーズ（７０）と前記ロックスライド（５２）の前記下降した前部（５３）との係合によって、前記読取位置に位置した前記スマートカード（１００）のロック及びロック解除を行うことを特徴とするスマートカードリーダ。
【請求項２】
前記ロックレバー（６６）は、複数の機能を有する複数のレバーアーム（６９，７０，７１，７２）を備えたことを特徴とする請求項１に記載のスマートカードリーダ。
【請求項３】
前記ロックレバー（６６）は、次に掲げる機能の少なくとも１つを有することを特徴とする請求項２に記載のスマートカードリーダ。
ａ）ロックスイッチ（１９）を前記ロック位置に作動させる。
ｂ）前記ロックスライド（５２）のロック及び開放を行う。
ｃ）緊急ロック解除レバー（７２）の作動により前記機械的ロック手段（５０）のロック解除を行う。
【請求項４】
前記ロックレバー機構（５１）と前記ハウジング（１１）とは、互いに重ね合わされ、軸（６７）を中心とした前記ロックレバー（６６）の回転中に前記ロックレバー（６６）をガイドするガイド面（２０，２１，２２，７４，７３，７５）をそれぞれ備えたことを特徴とする請求項２に記載のスマートカードリーダ。
【請求項５】
前記スマートカード（１００）が挿入された後、読取位置において、前記スマートカード（１００）が前記ロックスライド（５２）の後部（５４）に係合して、前記ロックスライド（５２）を長手方向後方に前記ロック位置に向けて移動させ、これにより前記ロックスライド（５２）の前部（５３）が下降され、カードロック手段（５７）が前記スマートカード（１００）と係合して前記スマートカード（１００）をロックすることを特徴とする請求項１に記載のスマートカードリーダ。
【請求項６】
前記ロックレバー機構（５１）は、バネ手段、特に前記ハウジング（１１）と前記ロックレバー（６６）とに取付けられた線バネ（６５）を備え、
前記ロックレバー（６６）は前記バネ手段によって前記ロック位置に向けて付勢され、前記線バネ（６５）は、前記ロックスライド（５２）に係合し、前記ロックスライド（５２）をロック解除位置に向けて付勢することを特徴とする請求項２に記載のスマートカードリーダ。
【請求項７】
前記ロックレバー（６６）は、前記ロックレバー（６６）の前記ロックスライド（５２）との係合を開放する作動レバー（７２）を備え、これにより直接手動ロック解除を可能にすることを特徴とする請求項２に記載のスマートカードリーダ。
【請求項８】
前記ロックレバー（６６）は、スマートカードリーダ（１０）のロック状態又はロック解除状態を示すように前記ハウジング（１１）に配置されたロックスイッチ（１５）を操作又は作動するアクチュエータ（６９）を備えたことを特徴とする請求項２に記載のスマートカードリーダ。
【請求項９】
前記ハウジング（１１）の外側で該ハウジング（１１）に沿って延びるリリースソレノイド（９０）を更に備え、前記ロックスライドは、前記ハウジング（１１）と前記リリースソレノイド（９０）との間に延びており、前記ロックレバー（６６）は、前記ロックスライド（５２）を開放して前記スマートカード（１００）のロック解除を行うように、前記リリースソレノイド（９０）に連結されていることを特徴とする請求項２に記載のスマートカードリーダ。
【請求項１０】
前記リリースソレノイド（９０）は、プル駆動磁石電機子（９１）と復帰バネ又はリセットバネとを備えたことを特徴とする請求項９に記載のスマートカードリーダ。
【請求項１１】
前記磁石電機子（９１）は、該磁石電機子（９１）が前記ロックレバー（６６）の結合フォーク（７１）に係合して前記ロックレバー（６６）を回転させるまで、障害物のない経路を移動して、ロック解除のために必要とされるエネルギ量を削減することを特徴とする請求項１０に記載のスマートカードリーダ。
【請求項１２】
前記磁石電機子（９１）を電気的に駆動することによって前記機械的ロック手段（５０）の通常のロック解除を行うと共に、手によって作動レバー（７２）を作動させることによって機械的緊急ロック解除を行うことを特徴とする請求項１０に記載のスマートカードリーダ。
【請求項１３】
前記接触装置（３０）は、スマートカードにより直接的に作動されることを特徴とする請求項１に記載のスマートカードリーダ。
【請求項１４】
前記ロックスライド（５２）は、前記スマートカード（１００）をロックするカードロック手段（５７）をその前部（５３）に備えたことを特徴とする請求項１に記載のスマートカードリーダ。
【請求項１５】
前記ハウジング（１１）及び前記ロックスライド（５２）は、ロック位置又は開放位置への相対移動中に前記ロックスライド（５２）をガイドする、互いに係合する２対の離間した面（１６，５５；１７，５６）を備えたことを特徴とする請求項１に記載のスマートカードリーダ。
【発明の詳細な説明】
【０００１】
【発明の属する技術分野】
本発明は、スマートカード（チップカードとも呼ばれる）と接触する、即ちスマートカード上に存在するカード側接点と接触するスマートカードリーダ（チップカードリーダとも呼ばれる）に関するものである。
【０００２】
【従来の技術】
ＤＥ  ３８１０２７５  Ｃ３には、固定フレームを有するスマートカードリーダが開示されている。このフレームの開口部には、移動自在の接点支持部が初期位置と読取位置との間に往復運動可能に取付けられている。このスマートカードリーダにおいては、初期位置と読取位置との間でのスマートカードの移動、スマートカードの挿入、初期位置に戻る移動、及びスマートカードリーダからのスマートカードの取出しは、プッシュプル（push-pull）の原理に従って行われる。
【０００３】
ＤＥ  １９５１３３５９  Ｃ１には、いわゆるプッシュマティック（pushmatic）の原理に従って作動されるスマートカードリーダが開示されている。この後者のスマートカードリーダは、接点支持部を往復運動可能に取付けたハウジングを備えている。ロック部材又はラッチ部材が設けられており、これがスマートカードと係合することによって、スマートカードリーダ内のスマートカードが読取位置にロックされる。ロック部材は、ハウジング側の従動部材に取付けられたＬ字状のアームを備えている。従動部材は、読取位置に近づいていくスマートカードと共に移動される。このとき、アームがガイド経路の外側の位置から傾斜面に沿って動くようにガイドされて、アームの短いＬ字状の脚が読取位置でスマートカードに係合するようになっている。従動部材は、スマートカードの読取位置にブロック部材によって取り外し可能に固定されている。スマートカードリーダの周知のデザインにおいては、全体の高さが比較的高く、多くの要素が必要とされる。このため、コストが高くなり、スマートカードリーダを使用する装置に従来のスマートカードリーダを設置することが困難であった。
【０００４】
【発明が解決しようとする課題】
請求項１において述べられているように、本発明は、チップカードリーダの寸法を小さくすることができ、機械的ロック手段を簡単な構造にして信頼性を高めた極めて平坦なデザインを得ることができるスマートカードリーダを提供することを目的としている。
【０００５】
【課題を解決するための手段】
従来技術の問題点は本発明によって解決することができ、本発明は、請求項１に述べられているようなチップカードリーダ又はスマートカードリーダを提供する。本発明の好ましい実施形態は、従属請求項において開示されている。
【０００６】
本発明のスマートカードリーダは、スマートカードリーダ内の読取位置においてスマートカードを保持するロック手段を備えている。スマートカードのロック及びロック解除に関して要求される様々な機能が、ロックレバー（ユニバーサルレバーとも呼ばれる）に統合されている。ロックレバーは、ロックレバー機構の一部である。また、機械的ロック手段は、極めて平坦なスマートカードリーダが得られるように、スマートカードリーダのハウジングの外側に該ハウジングに沿って、カード側接点の前方に部分的に配置されている。
【０００７】
【発明の実施の形態】
本発明の実施形態は図面に開示されており、以下、この実施形態を詳細に述べる。図１乃至図７は本発明の実施形態を開示している。
【０００８】
図１によれば、本発明のスマートカードリーダ１０は、ハウジング１１と、接触装置３０と、機械的ロック手段５０とを備えている。好ましくは、機械的ロック手段５０は、リリースソレノイド９０によって作動される。このリリースソレノイド９０もスマートカードリーダ１０の一要素である。ハウジング１１の前方端からスマートカード１００をハウジング１１内に挿入することができる。スマートカード１００をハウジング１１内に挿入するために、ハウジング１１にはカード案内溝１２（図３参照）が形成されている。スマートカード１００がハウジング１１内の最も奥に挿入されたときに、スマートカードは読取位置に位置する。後述するように、スマートカード１００は読取位置においてロックされる。従って、この読取位置はロック位置とも呼ぶことができる。接触装置３０は、読取位置において、スマートカード１００上に配置されたスマートカード側接点に対して電気的な接続を行うものである。
【０００９】
図１に示すように、本発明の好ましい実施形態として、スマートカードリーダ１０は、ＤＥ  ＯＳ  ３８１０２７５に示されるような接触装置と同様の接触装置を用いている。本発明によれば、機械的ロック手段５０は、接触装置３０とは反対側に平坦な要素として置かれている。即ち、機械的ロック手段５０は接触装置３０の前方にある。しかしながら、機械的ロック手段５０の一部は、案内溝１２の外側にあり、ハウジング１１に沿って配置されている。
【００１０】
（接触装置３０）
図１に示すように、接触装置３０は、ハウジング１１内に往復運動可能に取付けられ、復帰バネ３２の力に抗してカード挿入方向に移動可能な接点支持部３１を備えている。ハウジング１１の接点支持部３１は、案内部材３３によってガイドされながら移動し、スマートカード１００のハウジング１１への挿入中に、接点支持部３１は移動と共に下降する。これにより、破線で示される接点部材は、スマートカード１００のカード側接点に対して接続を行うこととなる。破線で示される接点部材は、導電体を有する導体箔３４によって覆われている。スマートカード１００が取り外されたときに、接点支持部３１が初期位置に戻るように、復帰バネ３２が接点支持部３１を初期位置に向けて付勢している。
【００１１】
（機械的ロック手段５０）
機械的ロック手段５０は、好ましくは、接触装置３０と同様にハウジング１１内に配置される。機械的ロック手段５０は、スマートカード１００の挿入方向に関して接触装置３０の前方且つスマートカード１００の上側に配置されたロックレバー機構５１を備えている。また、機械的ロック手段５０は、ハウジング１１の外側でハウジング１１に沿って延びるロックスライド５２を備えている。ロックスライド５２は、ハウジング１１に滑動自在に取付けられており、スマートカード１００をその読取位置にロックする。
【００１２】
更に、ハウジング１１の外側でハウジング１１に沿って、リリースソレノイド又は磁石９０がハウジング１１に取付けられている。リリースソレノイド９０は、スマートカードリーダ１０の機械的ロック手段５０を開放するように電気的に作動され、スマートカード１００を開放位置に移動することができるようになっている。
【００１３】
（機械的ロック手段５０のロックスライド５２）
特に、図１及び図２には、ハウジング１１に沿って実質的に横に延びる一片の細長い部材としてのロックスライド５２が示されている。
【００１４】
ロックスライド５２は、前方に位置してカードが挿入される位置の近くに配置された前部５３と、スマートカードリーダ１０の端部の近くに配置された後部５４とを備えている。前部５３と後部５４とは、平らな棒状部材によって接続されている。この平らな棒状部材６０は、特に、ハウジング１１とリリースソレノイド９０との間に延びている。ロックスライド５２の背部即ち後部５４には、カード受け手段６１が示されている（詳細は図１のロックスライド５２の後部５４を参照）。
【００１５】
操作に関する限り、スマートカード１００がほとんど完全にハウジング１１内に挿入されたとき、スマートカード１００がカード受け手段６１と垂直に当接し、その結果、スマートカード１００は、この挿入されたスマートカード１００の方向にロックスライド５２をハウジング１１に対して相対的に移動させる。
【００１６】
ハウジング１１の後部において、ハウジング１１は、ロックスライド５２の内方への移動を規制するロックスライド案内部材１３（図１参照、ロックスライド用案内部材とも呼ばれる）を有している。ハウジング１１は、更に、ロックスライド５２のためのガイド面１４を長手方向に沿って有しており、前方端においてロックスライドストッパ１５を有している。案内部材１３、ガイド面１４、及びストッパ１５は、ロックスライド５２を受け、ロックスライド５２をガイドしてロックスライド５２をハウジング１１に対して相対移動させる。
【００１７】
更に、ハウジング１１の前方端には、それぞれロックスライド５２の第１傾斜ガイド面５５及び第２傾斜ガイド面５６と協動又は当接する第１傾斜ガイド面１６及び第２傾斜ガイド面１７が設けられている。ロックスライド５２の前方端には、カードロック手段５７が、好ましくはフランジ状に配置されている。カード１００がスマートカードリーダ１０内に挿入されて、カード１００の内側に位置する部分、即ち後部端がカード受け手段６１と係合することによって、ロックスライド５２が移動されると、一対の第１傾斜ガイド面１６，５５がロックスライド５２をガイドして、このロックスライド５２を少し下方に移動させる。そして、ロックスライド５２のカードロック手段５７は、挿入されたカード１００の前方端又は前部端の裏側でガイドされ、これによりカード１００がロックされる。即ち、スライドカード１００を挿入方向と反対側に移動することができなくなる。
【００１８】
ロックレバー機構５１は更に、弾性部材６５、例えばバネ、特に線バネを備えている。弾性部材６５によって、ロックスライド５２はカード開放位置に向かって、即ち、前方位置に向けて付勢されている。機械的ロック手段５０がリリースソレノイド９０（又は手）によって開放されている場合には、ロックスライド５２は初期位置に戻る（即ち、挿入方向とは反対側に移動される）。そして、一対の第２傾斜ガイド面１７，５６がロックスライド５２を少しだけ上方に移動させて、カードロック手段５７が持ち上げられてカード１００が開放される。カードロック手段５７がカード１００の移動方向から外れると直ぐに、接触装置３０の復帰バネ３２及び必要であればバネ６５の付勢によって、カード１００がスマートカードリーダ１０のハウジング１１から外される。このプッシュマティック特性により、使用者はハウジング１１からカード１００を容易に取り外すことができる。本発明の構成によれば、上述したカードの開放及びその後の手動の（バネ力を用いない）取り外しが可能となる。
【００１９】
図６及び図７は、斜め下方から見たスマートカードリーダ１０を示している。ハウジング１１の前側のガイド面１４内には、ロックスライド５２用の細長いガイド開口２５が延びている。ロックスライド５２は、その前部５３の下側にガイドピン６２を備えており、このガイドピン６２は上記ガイド開口２５に突出しており、これによりロックスライド５２の相対運動中にロックスライド５２が付加的にガイドされる。
【００２０】
また、ハウジング１１は、第２傾斜ガイド面１７の後部端に凹部２６を有している。ロックスライド５２がロック位置にあるときに、この凹部２６内にロックスライド５２の方形状の突部６３が位置する。ハウジング１１の凹部２６内における突部６３の受け入れ口は、ロックスライド５２の移動をガイドするものであり、第２傾斜ガイド面１７における第２傾斜ガイド面５６のスライドの支持面を延ばしたものである。更に、これにより、ロックスライド５２の前部５３、特にロックスライド５２のカードロック手段５７を上下方向に移動させるための機構をより薄く設計することができる。
【００２１】
（機械的ロック手段５０のロックレバー機構５１）
ロックレバー機構５１は、上述したように、カード１００の挿入方向から見て、接触装置３０の前方且つ挿入されたカード１００の上方に配置されている。ロックレバー機構５１は、平坦な要素として形成されており、ロックレバー６６と線バネ６５とを備えている。ロックレバー６６は、ユニバーサルレバーと呼ぶことができる。ロックレバー６６は、ハウジングのロータリベアリング６７（好ましくは、ハウジング１１に設けられたピン）に回転可能に取付けられており、実質的にハウジング１１面に延びている。線バネ６５は、バネ保持手段１８によってハウジング１１に取付けられている。線バネ６５の一端はロックレバー６６のバネホルダー６８に取付けられており、バネ６５の他端はバネ受け手段５８によってロックスライド５２に取付けられている。バネ保持手段１８は、ガイドドラム２４と共にスナップホルダー２３を備えている。線バネ６５は、以下に述べる３つの役割を有する。
１．ロックスライド５２の開放位置への復帰（リセット）及び付勢をそれぞれ行う。
２．ロックレバー６６をロック位置に向けて付勢する。好ましくは、ハウジング１１に設けられたロックスイッチ１９に対して該ロックスイッチ１９を作動させるように、ロックレバー６６をロック位置に向けて付勢する。
３．ロックレバー６６が脱落しないようにロックレバー６６を固定する。
【００２２】
ロックレバー６６（図４参照）は、複数のレバーアーム６９，７０，７１，７２を備えている。このように、ロックレバー６６は第１アーム６９を備えている。ロックレバー６６がロック位置に移動したとき、第１アーム６９が、ハウジング１１に設けられたロックスイッチ１９を作動させる。上記ロックスイッチ１９は、機械的ロック手段５０の現在の位置に関して電気的な表示を行う。
【００２３】
また、ロックレバー６６はロックノーズ７０を備えている。スマートカードの挿入によってロックスライド５２が読取位置（ロック位置と同じである）に移動した場合、線バネ６５による付勢力によって、ロックレバー６６はロータリベアリング６７を中心として回転することができる。これにより、ロックノーズ７０のロック面７６がロックスライド５２のロックスライドロック面５９と係合する。この係合により、ロックスライドの開放位置への復帰移動が阻止され、ロックスライドをロック位置（上述したように、読取位置に対応する）に拘束し、ロックする。
【００２４】
更に、ロックレバー６６は結合フォーク７１を備えている。フォーク７１は、リリースソレノイド９０の電機子部９１を受けるようになっている。リリースソレノイド９０がハウジング１１に関して側面に取付けられており、ロックスライド５２はリリースソレノイド９０とハウジング１１との間でリリースソレノイド９０の長さに沿って延びている。リリースソレノイド９０は、その移動中にロックスライド５２をガイドする。（リリースソレノイド９０のコイルに通電することにより）リリースソレノイド９０を作動させることにより、磁石電機子９１が加速される。好ましくは、磁石電機子９１は、リリースソレノイド９０における往復運動のために取付けられている。磁石電機子９１は、障害物のない経路を通った後、ロックレバー６６の結合フォーク７１と係合し、ロックレバー６６を旋回回転運動させる。このロックレバー６６の回転によりロックノーズ７０が旋回運動をする。これにより、ロックノーズのロック面７６の、ロックスライド５２のロック面５９に対する係合が開放又は除去され、ロックスライドが開放されて開放位置へ移動される。磁石電機子が障害物のない経路を移動することによって、磁石電機子９１の質量運動量を用いて機械的ロック手段をロック解除するために必要なエネルギが削減される。特に、図６に示すように、リリースソレノイド９０は、ハウジング１１の側面の突起（そのうちの１つは符号９０１で示されている）に固定的に設けられた、好ましくはＵ字状の金属支持ブラケット９００を備えている。リリースソレノイド９０の一方から外側に突出する磁石電機子９１は、押さえバネ９０２によって図６で示される位置に保持されている。押さえバネ９０２の一端は、金属ブラケット９００の当接面９０３に当接し、他端は、バネ当接リング９０４の環状当接面（図６において左側に示されている）に当接している。電機子９１は、バネ当接リング９０４を形成すると共に、それに隣接するフォーク当接リング９０５をも形成する。フォーク当接リング９０５は、図６において右側に示されている当接面を有しており、この当接面は、バネ９０２の押圧により結合フォーク７１の当接面９０６（図６において左側に示されている）に軽く当接する。
【００２５】
電機子は、更に、図６において左側に示される当接面を有するヘッドディスク９０７を形成しており、この当接面は、結合フォーク７１の右側（図６参照）の当接面９０８から離間している。このヘッドディスク９０７の左側の当接面（符号を付していない）と当接面９０８との間の距離が、上述した電機子９１の障害物のない移動を可能にしている。押さえバネ９０２は、比較的弱いものであるが、リリースソレノイド９０が通電されていない場合に電機子９１を図６に示す位置に保持するのに十分な強さを有している。
【００２６】
また、ロックレバー６６は作動レバー７２を備えている。作動レバー７２は、手で作動された場合にロックレバー６６を旋回させる。リリースソレノイド９０による作動とは独立して、作動レバーを手動で作動させることができる。この作動により、ロックノーズ７０が移動し、対応するロックスライド５２の開放と、リリースソレノイド９０との関係で説明したスマートカード１００の開放とが行われる。作動レバー７２は、例えば、スマートカードリーダの電源供給が中断されてソレノイド９０に通電できなくなった場合などの、スマートカードリーダの緊急ロック解除を行うためのものである。
【００２７】
更に、ハウジング１１は、第１ガイド突起２０と第２ガイド突起２１と第３ガイド突起２２とを備えている。これらのガイド突起２０，２１，２２の底面は、それぞれロックレバー６６の好ましくはオフセットの第１ロックレバーガイド面７４と第２ロックレバーガイド面７３と第３ロックレバーガイド面７５とに係合するガイド面を形成している。互いに重ね合わされるガイド面の対は、本発明の平らなデザインをもって、少なくとも３つのガイド点で回転する間に、ロックレバー６６をガイドする役割を有する。これにより、ロックレバー６６は、取付けられた位置から偶発的に脱落することがない。
【００２８】
機械的ロック手段５０、特にロックレバー６６とロックスライド５２とは、追加のネジや他の取付部材を必要としないが、すべての個々の部品や要素は、戻り止め作用や形状結合又は互いに支持し合う要素によって設置される。
【００２９】
本発明によれば、ロックレバー６６は多数の様々の機能を実行する。例えば、ロックスイッチ１９との接触及びロックスライド５２のロック及び開放、リリースソレノイド９０の励起又は手による緊急ロック解除レバー７２の作動に対応する機械的ロック手段５０のロック解除である。このように、ロックレバー６６は異なる機能を兼ね備えているため、ロックレバー６６を有するユニバーサルレバーは比較的広い範囲で設計することができ、これにより大きな安定性を有する。
【００３０】
（操作）
以下に、スマートカードリーダの操作の概要について述べる。
【００３１】
（カード１００のロック）
スマートカード１００は、上記ハウジング１１に滑動自在に挿入される。挿入中に、接点支持部３１は、スマートカード１００によって後方に移動され、接点部材３４はスマートカード１００の接点領域に接触する。少しして、スマートカード１００は最終的な読取位置に至り、ロックスライド５２のカード受け手段６１は、カードと係合し、ロックスライド５２をハウジング１１に対して後方に移動させる。スライド５２は、ハウジング１１の第１傾斜ガイド面１６と当接し、カードロック手段５７はカード１００の前方で下方に移動する。これにより、スライドカード１００が読取位置にロックされるようになる。同時に、付勢されたロックレバー６６が開放されてロック位置に回転して、ロックノーズ７０が移動されてロックスライド５２のロックノーズ突部５９と当接する。これにより、ロックスライド５２がロックされる。
【００３２】
（カード１００の開放）
緊急ロック解除のための作動レバー２２を作動させることによって、あるいは、リリースソレノイド９０を作動させることによって、ロックノーズ７０が移動されてロックスライド５２との係合が外れる。これにより、付勢されたロックスライド５２は、その初期位置又はスタート位置に移動することができる。傾斜面１７上をロックスライドの一部が移動することによって、カードロック手段５７は上方に移動し、スマートカード１００のロックを開放する。このとき、復帰バネ３２の張力はカード１００の移動をカード開放位置に導く。
【００３３】
これまで本発明の一実施形態について説明したが、本発明は上述の実施形態に限定されず、その技術的思想の範囲内において種々異なる形態にて実施されてよいことは言うまでもない。
【図面の簡単な説明】
【図１】本発明に係るスマートカードリーダの一実施形態を示す斜視図である。
【図２】スマートカードが開放位置又は初期位置に位置しているときの図１に示すスマートカードリーダ前部の部分拡大図である。
【図３】スマートカードが読取位置に位置しているときの図１に示すスマートカードリーダ前部の部分拡大図である。
【図４】スマートカードが開放位置にあるときの、図２のＡ−Ａ線断面を有する図２と同様の部分断面斜視図である。
【図５】スマートカードが読取位置にあるときの、図３のＢ−Ｂ線断面を有する図４と同様の断面図である。
【図６】スマートカードが開放位置にあるときの図１に示すスマートカードリーダの下方から見た斜視図である。
【図７】スマートカードが読取位置にあるときの図１に示すスマートカードリーダの下方から見た斜視図である。
【符号の説明】
１０    スマートカードリーダ
１１    ハウジング
１２    カード案内溝
１３    ロックスライド案内部材
１４    ガイド面
１５    ロックスライドストッパ
１６    第１傾斜ガイド面
１７    第２傾斜ガイド面
１８    バネ保持手段
１９    ロックスイッチ
２０，２１，２２    ガイド突起
２３    スナップホルダー
２４    ガイドドラム
２５    ガイド開口
２６    凹部
３０    接触装置
３１    接点支持部
３２    復帰バネ
３３    案内部材
３４    導体箔
５０    機械的ロック手段
５１    ロックレバー機構
５２    ロックスライド
５３    前部
５４    後部
５５    第１傾斜ガイド面
５６    第２傾斜ガイド面
５７    カードロック手段
５８    バネ受け手段
５９    ロックスライドロック面
６０    棒状部材
６１    カード受け手段
６２    ガイドピン
６３    突部
６５    線バネ
６６    ロックレバー
６７    ロータリベアリング
６８    バネホルダー
６９    第１アーム
７０    ロックノーズ
７１    結合フォーク
７２    作動レバー
７３，７４，７５    ロックレバーガイド面
７６    ロック面
９０    リリースソレノイド
９１    電機子
１００    スマートカード
９００    ブラケット
９０１    突起
９０２    押さえバネ
９０３，９０６，９０８    当接面
９０４    バネ当接リング
９０５    フォーク当接リング
９０７    ヘッドディスク
【図１】
0004745545.tif 000002
【図２】
0004745545.tif 000003
【図３】
0004745545.tif 000004
【図４】
0004745545.tif 000005
【図５】
0004745545.tif 000006
【図６】
0004745545.tif 000007
【図７】
0004745545.tif 000008